(57)【要約】【課題】本発明は、簡易な構成にして設置が容易であり、設置コストを低減することができ、しかも認証の信頼性も高い入退場認証ゲート装置とそのシステムの提供を目的とする。【解決手段】枠体に形成された基台３００の上部に電磁波伝達シート１００が設けられ、そこで識別情報記録媒体２００の識別情報が例えばＲＦＩＤにより送受信される。この識別情報は識別情報読取装置３００で読み取られ、送受信装置３４０を介して別に設けられた管理用ＰＣ４００に送信される。管理用ＰＣ４００では当該識別情報を認証して認証情報をゲート装置１００に送信され、該認証情報に基づいて各種装置３２１，３２２，３２３の出力が制御される。【選択図】図１
2011118717.tif 000002
【特許請求の範囲】
【請求項１】
施設や現場等における利用者の入退場を認証するための入退場認証ゲート装置であって、
施設や現場等の入退場口に設けられ、入退場口を通過する利用者が所有する識別情報記録媒体との間で識別情報を送受信して伝達するものであって、メッシュ状導体を有する第１導電体層と、該第１導電体層と略平行に配設される第２導電体層と、前記第１導電体層と前記第２導電体層との間に配設される誘電体層とを有し、前記第１導電体層と前記第２導電体層の間の誘電体層において、前記識別情報媒体の識別情報を電磁波を介して伝達する薄板状の電磁波伝達シートと、
該電磁波伝達シートから送信されてきた識別情報を読み取る識別情報読取装置と、
該識別情報読取装置により読み取られた識別情報を別に設けられた管理用コンピュータに送信する送信装置とを備えることを特徴とする入退場認証ゲート装置。
【請求項２】
該管理用コンピュータから送信されてきた認証情報を受信する受信装置と、
視覚的または／および聴覚的に入退場の許可又は禁止を出力する出力装置と、
前記受信装置により受信された認証情報に基づいて前記出力装置の出力を制御する制御装置とを備える請求項１に記載の入退場認証ゲート装置。
【請求項３】
前記電磁波伝達シートは、施設や現場等の入退場口に設置された基台に設けられる請求項１または請求項２に記載の入退場認証ゲート装置。
【請求項４】
前記電磁波伝達シートは、施設や現場等の入退場口を通過する利用者に対して第１導電体層を対向する態様で設けられている請求項１から請求項３のいずれかに記載の入退場認証ゲート装置。
【請求項５】
前記電磁波伝達シートは、離れた位置にある前記識別情報記録媒体からの識別情報を送受信する電磁波放射器が設けられている請求項１から請求項４のいずれかに記載の入退場認証ゲート装置。
【請求項６】
前記電磁波放射器は、前記電磁波伝達シートの前記第１導電体層の表面に展設される誘電体層と、該誘電体層の前記電磁波伝達シートと反対側の表面に展設される導電体層とからなる請求項５に記載の入退場認証ゲート装置。
【請求項７】
前記電磁波伝達シートは、ＲＦＩＤを使用することにより前記識別情報記録媒体との間で識別情報を送受信する請求項１から請求項６のいずれかに記載の入退場認証ゲート装置。
【請求項８】
請求項１から請求項７のいずれかに記載の入退場認証ゲート装置と、
該入退場認証ゲート装置にネットワークを介して接続され、あらかじめ利用者の識別情報をデータベースに記憶し、前記入退場認証ゲート装置から送信されてきた認証情報をデータベースの認証情報と照合し、データベースに利用者の識別情報が存在する場合には利用者の通過を許可する認証情報を作成し、データベースに利用者の識別情報が存在しない場合には利用者の通過を禁止する認証情報を作成し、該認証情報を前記入退場認証ゲート装置に送信する管理用コンピュータとを備えることを特徴とする入退場認証システム。
【請求項９】
前記入退場認証ゲート装置が複数設けられ、前記送信装置は各入退場認証ゲート装置の識別情報読取装置から送信されてきた識別情報を前記管理用コンピュータに送信するとともに、前記受信装置は前記管理用コンピュータから送信されてきた認証情報を受信して各入退場認証ゲート装置に送信する請求項８に記載の入退場認証システム。
【発明の詳細な説明】
【技術分野】
【０００１】
本発明は、施設や現場等における利用者の入退場を認証する入退場認証ゲート装置および入退場認証システムに関する。
【背景技術】
【０００２】
従来、対向する導電体層とその間の誘電体層からなる電磁波伝達シート内に電磁場を存在させ、導電体層の間の電圧を変化させて当該電磁場を変化させたり、当該電磁場の変化によって導電体層の間の電圧を変化させて、電磁波を進行させることで、信号（例えば識別情報など）を伝達する電磁波伝達シートが開発されている（特許文献１参照）。また、下記非特許文献１において、電磁波伝達シートに関わる二次元通信の原理が紹介されている。
【０００３】
そして、この電磁波伝達シートは、例えば、電磁波伝達シート上に物品を載置すると、その物品に関する信号をシート内で電磁波を介して伝達することにより、別に設けられたパソコンにてモニタ上に当該物品に関する情報を表示して、商品管理、薬品管理、あるいは書籍管理などに使用されている。
【０００４】
また、例えば、電磁波伝達シート上にパソコンを載置すると、パソコンからの微弱な信号をシート内で電磁波を介して伝達することにより、ＬＡＮ等の通信ネットワークに接続することなどにも使用されている。
【０００５】
このように電磁波伝達シートは様々な用途に応用可能なものとして注目されている。
【０００６】
ところで、施設や現場等における利用者の入退場を認証する入退場認証ゲート装置が知られている。このゲート装置は、一般に利用者の識別情報が記録されたカード状のＩＣ記録媒体をゲート装置にかざすと、ゲート装置が該ＩＣ記録媒体から識別情報を読み取って、それを別に設けられた管理用コンピュータにて認証して、利用者の通過を許可したり、あるいは禁止したりする（特許文献２参照）。
【先行技術文献】
【特許文献】
【０００７】
【特許文献１】特開２００７−８２１７８号公報
【特許文献２】特開２００５−３５０９６０公報
【非特許文献】
【０００８】
【非特許文献１】篠田裕之、「素材表面に形成する高速センサネットワーク」、計測と制御、２００７年２月号、第４６巻、第２号、P98-103
【発明の概要】
【発明が解決しようとする課題】
【０００９】
しかしながら、従来のＩＣ記録媒体を利用したゲート装置では、装置が複雑であることから設置が煩雑になり、設置コストが高騰するという問題があった。
【００１０】
本発明は、上述の問題に鑑みてなされたものであって、簡易な構成にして設置が容易であり、設置コストを低減することができ、しかも認証の信頼性も高い入退場認証ゲート装置とそのシステムの提供を目的とする。
【課題を解決するための手段】
【００１１】
本発明は、上記目的を達成するために、施設や現場等における利用者の入退場を認証するための入退場認証ゲート装置であって、施設や現場等の入退場口に設けられ、入退場口を通過する利用者が所有する識別情報記録媒体との間で識別情報を送受信して伝達するものであって、メッシュ状導体を有する第１導電体層と、該第１導電体層と略平行に配設される第２導電体層と、前記第１導電体層と前記第２導電体層との間に配設される誘電体層とを有し、前記第１導電体層と前記第２導電体層の間の誘電体層において、前記識別情報媒体の識別情報を電磁波を介して伝達する薄板状の電磁波伝達シートと、該電磁波伝達シートから送信されてきた識別情報を読み取る識別情報読取装置と、該識別情報読取装置により読み取られた識別情報を別に設けられた管理用コンピュータに送信する送信装置とを備えることを特徴とする。
【００１２】
これによれば、本ゲート装置に電磁波伝達シートを利用することにより、本ゲート装置が簡易な構成にして設置が容易となり、設置コストを低減することができる。しかも電磁波伝達シートは所定の距離の範囲内に位置する識別情報記録媒体から確実に識別情報を読み取るため、信頼性の高い入退場の認証を行うことができる。
【００１３】
また、該管理用コンピュータから送信されてきた認証情報を受信する受信装置と、視覚的または／および聴覚的に入退場の許可又は禁止を出力する出力装置と、前記受信装置により受信された認証情報に基づいて前記出力装置の出力を制御する制御装置とを備えるものとしてもよい。これにより電磁波伝達シートを利用した本ゲート装置において、入退場口における利用者の通過の許可又は禁止を行うことができる。
【００１４】
また、前記電磁波伝達シートは、施設や現場等の入退場口に設置された基台に設けられるものとしてもよい。これによりいわゆる基台設置型のゲート装置を構成することができ、基台に設けられた電磁波伝達シートに識別情報記録媒体をかざすことにより入退場認証が可能となる。
【００１５】
また、前記電磁波伝達シートは、施設や現場等の入退場口を通過する利用者に対して第１導電体層を対向する態様で設けらるものとしてもよい。これにより入退場口を通過する利用者の識別情報記録媒体から識別情報を読み易くなり、より効率的な入退場認証が可能となる。
【００１６】
また、前記電磁波伝達シートは、離れた位置にある前記識別情報記録媒体からの識別情報を送受信する電磁波放射器が設けられるものとしてもよい。これにより入退場口の周辺の天井面や壁面など、入退場口を通過する利用者と離れた位置にも電磁波伝達シートを設置することができ、いわゆる遠隔設置型のゲート装置として省スペース化を実現することが可能となる。
【００１７】
また、前記電磁波放射器は、前記電磁波伝達シートの前記第１導電体層の表面に展設される誘電体層と、該誘電体層の前記電磁波伝達シートと反対側の表面に展設される導電体層とからなるものとしてもよい。これにより入退場口の周辺の天井面や壁面など、入退場口を通過する利用者と離れた位置に電磁波伝達シートを設置した場合において、利用者の識別情報記録媒体から識別情報をより精度良く読み取ることができる。
【００１８】
また、前記電磁波伝達シートは、ＲＦＩＤを使用することにより前記識別情報記録媒体との間で識別情報を送受信するものとしてもよい。これにより識別情報記録媒体の価格が安くなるため、ゲート装置の設置コストをより一層低減することができる。
【００１９】
また、本発明に係る入退場認証システムは、請求項１から請求項７のいずれかに記載の入退場認証ゲート装置と、該入退場認証ゲート装置にネットワークを介して接続され、あらかじめ利用者の識別情報をデータベースに記憶し、前記入退場認証ゲート装置から送信されてきた認証情報をデータベースの認証情報と照合し、データベースに利用者の識別情報が存在する場合には利用者の通過を許可する認証情報を作成し、データベースに利用者の識別情報が存在しない場合には利用者の通過を禁止する認証情報を作成し、該認証情報を前記入退場認証ゲート装置に送信する管理用コンピュータとを備えることを特徴とする。
【００２０】
これによれば、本ゲート装置に電磁波伝達シートを利用することにより、本システム全体も簡易な構成にして設置が容易となり、設置コストを低減することができる。しかも電磁波伝達シートは所定の距離範囲内に位置する識別情報記録媒体から確実に識別情報を読み取るため、信頼性の高い入退場の認証を行うことができる。
【００２１】
また、前記入退場認証ゲート装置が複数設けられ、前記送信装置は各入退場認証ゲート装置の識別情報読取装置から送信されてきた識別情報を前記管理用コンピュータに送信するとともに、前記受信装置は前記管理用コンピュータから送信されてきた認証情報を受信して各入退場認証ゲート装置に送信してもよい。これにより各ゲート装置からの識別情報を一台の送信装置及び受信装置で管理用コンピュータと送受信することができ、設置による通信配線の煩雑さを軽減することができ、設置コストをより一層低減することが可能となる。
【発明の効果】
【００２２】
本発明によれば、本ゲート装置に電磁波伝達シートを利用することにより、簡易な構成にして設置が容易となり、設置コストを低減することができる。しかも電磁波伝達シートは所定の距離範囲内に位置する識別情報記録媒体から確実に識別情報を読み取るため、信頼性の高い入退場の認証を行うことができる。このため設置型のゲート装置はもとより、遠隔設置型のゲート装置も設置し易くなり、施設や現場等における入退場の認証が低コストで実現することが可能となる。
【図面の簡単な説明】
【００２３】
【図１】電磁波伝達シートの（ａ）平面図と（ｂ）断面図である。
【図２】識別情報記録媒体の平面図である。
【図３】第１の実施形態に係る本ゲート装置の構成を示す側面図である。
【図４】図３の本ゲート装置の構成を示す平面図である。
【図５】図３の本ゲート装置の構成を示す底面図である。
【図６】図３の本ゲート装置の構成を示す背面図である。
【図７】図３の本ゲート装置の電気的構成を示す概略図である。
【図８】本システムの全体構成を示す概略図である
【図９】本システムを利用した利用者の入退場認証の流れを示すフローチャート図である。
【図１０】第２の実施形態に係る本ゲート装置の（a）正面図と（ｂ）側面図である。
【図１１】電磁波伝達シートおよび電磁波放射器の側面図である。
【図１２】電磁波放射器の斜視図である。
【図１３】本ゲート装置の電気的構成と本システムの全体構成を示す概略図である。
【発明を実施するための形態】
【００２４】
［実施形態１］
【００２５】
次に本発明の第１の実施形態に係る入退場認証ゲート装置（以下、本ゲート装置という）と入退場認証システム（以下、本システムという）について図１〜図９を参照しつつ説明する。
【００２６】
本ゲート装置３００は、施設や現場等の入退場口の地面に設置される、いわゆる基台設置型のゲート装置である。本ゲート装置３００は電磁波伝達シート１００が設けられており、利用者は、施設や現場等の入退場口を通過するに際して、所有している例えばカード状の識別情報記録媒体２００を本ゲート装置３００の電磁波伝達シート１００にかざすことにより入退場を認証する。入退場の認証は別に設けられた管理用ＰＣ４００で行われ、入退場が認証されれば利用者の通過を許可されるが、認証されなければ利用者の通過が禁止されるようになっている。
【００２７】
＜電磁波伝達シート＞
以下では、説明を容易にするため、電磁波の伝達に用いる周波数帯において導電体であるものを「導電体」と呼び、当該周波数帯において誘電体であるものを「誘電体」と呼ぶ。したがって、例えば直流電流に対して導体であるか半導体であるか等によって、何ら制約されるものではない。また、誘電体と導電体とは、電磁波との関係において特性により定義されるものであって、固体であるか液体であるか気体であるか等の態様を制約するものではない。
【００２８】
図１は、本実施形態に係る電磁波伝達シート（以下、シートという）の概略構成を示す説明図である。図１（ａ）は、シート１００の平面図を示し、図１（ｂ）は、シート１００のＡ−Ａ’断面図を示す。
【００２９】
図１（ｂ）に示すように、シート１００は、メッシュ状の第１導電体１１０と、これに略平行な平板状の第２導電体１２０とを備えており、典型的にはいわゆる通信シートと称される二次元シートである。第１導電体１１０は、第２導電体１２０に対して、図１においては上方に設けられている。図１（ａ）において、第１導電体１１０は、略正方形のメッシュ状に構成される。
【００３０】
また、第１導電体１１０と第２導電体１２０との間に、誘電体層として空気を介在させた場合には、第１導電体１１０の略正方形の開口から第２導電体１２０が透けて見える。しかし、第１導電体１１０と第２導電体１２０との間に、不透明な誘電体層を介在させた場合には、第１導電体１１０の開口から第２導電体１２０は見えない。ここで、不透明な誘電体層として、例えば柔軟性のある樹脂板等を用いてもよい。
【００３１】
また、誘電体層としては、例えば発泡部材のように、ある程度の強度と柔軟性と軽量性と美観とを兼ね備えた部材を用いることが好ましい。また、メッシュの繰り返し単位（メッシュ周期）は、典型的には隣合う正方形開口の中心同士の距離に等しい。
【００３２】
図１（ｂ）において、第１導電体１１０と第２導電体１２０の間に、誘電体としての狭間領域１３０が設けられ、第１導電体１１０の上方に電磁波が侵出する侵出領域１４０が設けられる。狭間領域１３０および侵出領域１４０はいずれも空気であってもよいが、いずれが一方もしくは両方もしくはそれらの一部分を他の誘電体としてもよく、例えば液体や土としたり真空としたりしてもよい。
【００３３】
また、例えば、侵出領域１４０を保護シートや保護フィルムで被覆することにより、実用に耐えうる強度と、耐久性及び美観とを具備するシート１００とできる。また、侵出領域１４０と同様に、第２導電体１２０の裏面側、すなわち第２導電体１２０の狭間領域１３０の反対側の面も、保護シートや保護フィルムで被覆することにより、実用に耐えうる強度と、耐久性及び美観とを具備するシート１００とできる。
【００３４】
また、狭間領域１３０において定在波が生じるのを防止するために、伝搬される電磁波の特定の周波数帯において誘電損失や抵抗損失が大きな材料を、狭間領域１３０に配設したり充填したりしてもよい。典型的には、いわゆる終端処理としてシート１００の端部や辺縁部等において上述の処理を施すことができる。
【００３５】
このような終端処理により、定在波が低減されるだけでなく、現実には有限の広さを有するシート１００であっても、あたかも無限の広さに展開されているかのように、理論的な取り扱いをすることも可能となる。
【００３６】
第１導電体１１０と第２導電体１２０とは、いずれも二次元的であってシート状に構成される。シート状とは、帯状、布状、紙状、箔状、板状、膜状、フィルム状、メッシュ状など、面としての広がりを持ち、厚さが薄いものを意味する。
【００３７】
また、導電性インクや導電性ゴムを利用し、必要に応じて任意の模様や絵を描きながら、これらを塗装したり吹き付けたりすることによって、第１導電体１１０や第２導電体１２０を構成することができる。またこの場合に、必要に応じて任意の位置からシート１００内に電磁波を注入し叉は電磁波を取り出す為に、シート１００の任意の位置に、適宜くり抜き状をスルーホースや辺縁部、端部等を形成しておいてもよい。
【００３８】
ここで、シート１００において、第１導電体１１０と第２導電体１２０とに挟まれる狭間領域１３０の間を伝搬する電磁波モードに注目する。かりに第１導電体１１０がメッシュ状ではなく、開口がない構造であった場合には、電磁波は狭間領域１３０に閉じ込められる。
【００３９】
一方、本実施形態で例示するように、第１導電体１１０はメッシュ状の構造をとり、開口をもつ。このような形状では、一定の高さまで、電磁場が染み出すようになる。この電磁場が染み出す領域が、図１に侵出領域１４０として概念的に示す領域である。この高さは、メッシュの周期とシートの誘電体とによって決まる。本ゲート装置の使用に際しては、この侵出領域１４０に識別情報記録媒体２００を位置させることにより、識別情報記録媒体２００の識別情報がシート１００との間で送受信される。
【００４０】
また、メッシュの繰返しの単位寸法（メッシュ周期）は、狭間領域１３０における電磁波長λより十分に短い周期とすることが好ましい。ここで、メッシュの繰り返しの単位寸法とは、典型的にはいわゆるメッシュのマス目を構成する一辺の長さとメッシュ状導体の太さとを加算した値に相当する寸法である。
【００４１】
また、メッシュの繰返しの単位寸法（メッシュ周期）は、典型的には電磁波長λに対して、λ／５以下、λ／１０〜λ／１００、λ／１００〜λ／１０００などの周期を利用できるが、シート１００の適用分野に応じて、適宜サイズは調整可能である。また、現実の素材を組み合わせて実験を行い、所望の電磁波の強度が得られるように、侵出領域１４０の高さを設定してもよい。
【００４２】
また、シートの後端部には、図３に示すように、インターフェース装置１５０が取り付けられている。このインターフェース装置１５０は、シート１００との間で電磁波を送受波して識別情報を受信して、ケーブルを介して後述の識別情報読取装置３３０に送信される。
【００４３】
＜識別情報記録媒体＞
図２は、本実施形態にかかる識別情報記録媒体２００を示す平面図である。
【００４４】
この識別情報記録媒体２００は、合成樹脂製の手のひらサイズのカード状に形成され、識別情報記録媒体２００の裏面には識別タグ２１０が展設されている。この識別タグ２１０は、利用者を識別するための識別情報が記録され、例えばＲＦＩＤを利用したものが用いられる。
【００４５】
このＲＦＩＤ（Radio Frequency IDentification「電波による個体識別」の略）は、識別情報を埋め込んだ識別タグ２１０から、電磁界や電波などを用いた近距離の無線通信によってシートとの間で識別情報を送受信するものである。
【００４６】
シート１００との間で送受信された識別情報はシート１００内を電磁波を介して伝達されたあと、後述の識別情報読取装置３３０により読み取られる。
【００４７】
＜入退場認証ゲート装置＞
図３から図６は、本ゲート装置３００の構成を示す概略図である。なお、図３では、説明の便宜上、基台３１０内に設けられるシート１００を外観から可視化した状態で図示している。
【００４８】
本ゲート装置３００は、施設や現場等の入退場口の地面に設置され、略矩形状の基台３１０を備える。
【００４９】
この基台３１０の上部には上述のシート１００が設けられている。具体的には、基台３１０の前端部から後部にかけて進行方向に対して徐々に上昇する態様で傾斜しており、傾斜面の略中央部には露出窓３１１が穿設されている。
【００５０】
この露出窓３１１はシート１００よりも周径が小さい矩形状に形成されている。そしてその露出窓３１１の周縁部の下面とシート１００の周縁部の上面が接着されることにより、シート１００の周縁部を除く上面が露出状態となされている。これにより利用者は本ゲート装置３００の横側を通過するに際して、シート１００の露出した部分に識別情報記録媒体２００をかざすことにより識別情報が読み取られる。特に本実施形態では、基台部３００の上部が傾斜しているため利用者は識別情報記録媒体２００をよりかざしやすくなり便利である。
【００５１】
また、基台３１０の平坦な後端部には、通過ランプ３２１と停止ランプ３２２が幅方向に並んで設けられている。この通過ランプ３２１は後述するように利用者の通過が許可された場合に点灯し、一方、停止ランプ３２２は利用者の通過が禁止された場合に点灯する。
【００５２】
また、基台３１０の平坦な後端部には、さらにスピーカ３２３が通過ランプ３２１と停止ランプ３２２の前側に設けられている。このスピーカ３２３は利用者の通過が許可された場合には許可する旨の音声を出力し、一方利用者の通過が禁止された場合に禁止する旨の音声を出力する。
【００５３】
なお、基台３１０の外部には、ＤＩＯユニット３２４、ＤＣ電源３２５、換気用ルーパー３２６、ＡＣタップ３２７、設置架台３２８などの必要機器や機材がそれぞれ設けられている。
【００５４】
図７は、本ゲート装置３００の電気的構成を示す概略図である。
【００５５】
本ゲート装置３００の内部には識別情報読取装置３３０と制御装置３５０などが設けられ、本ゲート装置３００の外部には送受信装置３４０が設けられている。
【００５６】
前記識別情報読取装置３３０は、前記シート１００（インターフェース装置１５０）からケーブルを介して送信されてきた識別情報を読み取るものである。この識別情報読取装置３３０は、読み取った識別情報に対して読取日時、ゲート番号、入退場区分などの情報を付加したあと、それを送受信装置３４０を介して管理用ＰＣ４００に送信する。
【００５７】
前記送受信装置３４０は、前記識別情報読取装置３３０により読み取られた識別情報を別に設けられた管理用ＰＣ４００とホストＰＣ５００に送信する。本実施形態では、送受信装置３４０は無線ＬＡＮ子機３４１と無線ＬＡＮルータ３４２から構成され、識別情報読取装置３３０からケーブルを介して送信されてきた識別情報は無線ＬＡＮ子機３４１で受信されたあと、無線ＬＡＮルータ３４２に無線で送信され、さらに該無線ＬＡＮルータ３４２からＬＡＮを通じて管理用ＰＣ４００やホストＰＣ５００に送信される。なお、無線ＬＡＮ子機３４１と無線ＬＡＮルータ３４２は実際には互いに離れた位置に設けられているが、機能としては一体のものとして図７に図示している。
【００５８】
また、前記送受信装置３４０は、管理用ＰＣ４００から送信されてきた認証情報を受信する。本実施形態では、認証情報は管理用ＰＣ４００からＬＡＮを通じて無線ＬＡＮルータ３４２に受信されたあと、無線ＬＡＮ子機３４１に無線で送信され、さらに無線ＬＡＮ子機３４１からケーブルを通じて制御装置３５０に送信される。
【００５９】
前記制御装置３５０は、前記送受信装置３４０に受信された認証情報に基づいて通過ランプ３２１、停止ランプ３２２およびスピーカ３２３の出力を制御するものである。例えば、認証情報が許可を示すものである場合、通過ランプ３２１を点灯させるとともに、スピーカ３２３では通過を許可する旨の音声を出力させる。一方、認証情報が禁止を示すものである場合、停止ランプ３２２を点灯させるとともに、スピーカ３２３では通過を禁止する旨の音声を出力させる。
【００６０】
なお、本実施形態では、識別情報読取装置３３０、通過ランプ３２１、停止ランプ３２２、スピーカ３２３の各装置を基台３１０内に設けるものとしたが、基台３１０の外部に設けてもよい。ただ、これら各装置を基台３１０に内部に設ける方が省スペース化から鑑みて好ましい。
【００６１】
また、送受信装置３４０は基台３１０の外部に設けるものとしたが、基台３１０の内部に設けるものとしてもよい。ただ、本ゲート装置３００を複数設置する場合には、基台３１０の外部に設けるのが設置効率から鑑みて好ましい。
【００６２】
＜入退場認証システム＞
図８は、本システムの構成を示す概略図である。
【００６３】
本システムは、図８に示すように、複数の本ゲート装置３００と、１台の管理用ＰＣ４００と、１台のホストＰＣ５００とから構成され、それぞれがネットワーク（本実施形態ではＬＡＮ）を介して接続されている。
【００６４】
前記管理用ＰＣ４００は、主に本ゲート装置３００を通過する利用者に対して通過を許可または禁止することを認証するもので、本実施形態ではパーソナルコンピュータを利用している。
【００６５】
この管理用ＰＣ４００は、あらかじめ利用者の識別情報をデータベース２１０に登録しており、本ゲート装置３００から送信されてきた識別情報をデータベース４１０の識別情報と照合し、該識別情報がデータベース４１０に存在する場合には通過を許可する認証情報を作成する一方、該識別情報がデータベース４１０に存在しない場合には通過を禁止する認証情報を作成する。そして、認証部４２０により作成された認証情報は送受信部４３０からＬＡＮを通じて本ゲート装置３００（送受信装置３４０）に送信される。
【００６６】
なお、このとき管理用ＰＣ４００のモニタ等にも認証結果を画面表示したり、別のコンピュータにさらに送信することも可能である。
【００６７】
また、入場した利用者の識別情報を記録しておき、当該利用者が退場したときに送信されてきた識別情報と照合して、利用者の退場の確認してもよい。これら入退場の状況はリスト表示したり、未退場の利用者の確認を随時行うことも可能である。
【００６８】
これら管理用ＰＣ４００の機能については既存のシステムやデータベースにより実現することができるものである。例えば、（４１０）は利用者の識別情報をあらかじめ記憶するデータベースである。また、（４２０）は管理用ＰＣ４００から送信されてきた利用者の認証情報とデータベースの認証情報を照合して、該識別情報がデータベース４１０に存在する場合には通過を許可する認証情報を作成する一方、該識別情報がデータベース４１０に存在しない場合には通過を禁止する認証情報を作成する認証部である。また（４３０）は管理用ＰＣ４００との間において利用者の識別情報を受信したり、認証情報を送信したりする送受信部である。
【００６９】
前記ホストＰＣ５００は、一般には管理用ＰＣ４００の上位のコンピュータであり、管理用ＰＣ４００の認証情報を保存したり、管理用ＰＣ４００から認証を行う利用者の情報を要求された場合に当該利用者のリスト情報を管理用ＰＣ４００に送信する。
【００７０】
なお、本実施形態では、管理用ＰＣ４００とホストＰＣ５００を別体に構成したが、管理用ＰＣ４００とホストＰＣ５００を一体に構成してもよい。
【００７１】
＜利用者の入退場認証の流れ＞
【００７２】
次に本システムを利用した利用者の入退場認証の流れについて図９を参照しつつ説明する。なお、以下の説明では、「ステップ」を「Ｓ」として省略して説明することとする。
【００７３】
利用者が本ゲート装置３００を通過するときに、自己の識別情報記録媒体２００を本ゲート装置３００のシート１００にかざすと、識別情報記録媒体２００からの識別情報がシート１００内を電磁波を介して伝達されたあと、ケーブルを介して識別情報読取装置３３０に読み取られる（Ｓ１）。
【００７４】
そして、識別情報読取装置３３０により読み取られた識別情報は、さらに読取日時、ゲート番号、入退場区分などの情報を付加されたあと、送受信装置３４０により管理用ＰＣ４００にＬＡＮを通じて送信される（Ｓ２）。
【００７５】
次に、管理用ＰＣ４００では、本ゲート装置３００からＬＡＮを通じて送信されてきた識別情報を送受信部４３０により受信する（Ｓ３）。
【００７６】
そして、認証部４２０において、送受信部４３０により受信された識別情報をデータベース４１０の識別情報と照合し、データベース４１０に利用者の識別情報が存在する場合には利用者の通過を許可する認証情報を作成し、データベースに利用者の識別情報が存在しない場合には利用者の通過を禁止する認証情報を作成する（Ｓ４）。
【００７７】
そして、認証部４２０により作成された認証情報は、送受信部４３０により本ゲート装置３００とホストＰＣ５００にＬＡＮを通じて送信される（Ｓ５）。
【００７８】
次に、本ゲート装置３００では、管理用ＰＣ４００からＬＡＮを通じて送信されてき認証情報を送受信装置３４０により受信する（Ｓ６）。
【００７９】
そして、制御装置３５０により、送受信装置３４０に受信された認証情報に基づいて通過ランプ３２１、停止ランプ３２２およびスピーカ３２３の出力を制御する。例えば、認証情報が許可を示すものである場合、通過ランプ３２１を点灯させるとともに、スピーカ３２３では通過を許可する旨の音声を出力させる。一方、認証情報が禁止を示すものである場合、停止ランプ３２２を点灯させるとともに、スピーカ３２３では通過を禁止する旨の音声を出力させる。
【００８０】
また、一方でホストＰＣ５００では、管理用ＰＣ４００からＬＡＮを通じて送信されてき認証情報を受信したあと（Ｓ７）、当該認証情報を適宜保存したりする（Ｓ８）。
［実施形態２］
【００８１】
次に本発明の第２の実施形態に係る入退場認証ゲート装置（以下、本ゲート装置という）と入退場認証システム（以下、本システムという）について図１、図２、図１０〜図１３を参照しつつ説明する。
【００８２】
本ゲート装置６００は、施設や現場等の入退場口の天井面や壁面に設置される、いわゆる遠隔設置型のゲート装置である。本ゲート装置６００は電磁波伝達シート１００が設けられており、利用者は、施設や現場等の入退場口を通過するに際して、所有している例えばカード式の識別情報記録媒体２００を本ゲート装置３００の電磁波伝達シート１００にかざすしたり、あるいは通過するだけで入退場を認証する。入退場の認証は別に設けられた管理用ＰＣ４００で行われ、入退場が認証されれば利用者の通過が許可されるが、認証されなければ利用者の通過が禁止されるようになっている。
【００８３】
なお、電磁波伝達シート（以下、シートという）１００、識別情報記録媒体２００、管理用ＰＣ４００については、実施形態１に示したものと同一なので、同一の符号を付してその説明を省略する。
【００８４】
＜電磁波放射器＞
本実施形態では、図１０および図１１に示すように、シート１００の上面に電磁波放射器７００が設けられている。
【００８５】
この電磁波放射器７００は、離れた位置にある識別情報記録媒体２００からの識別情報を電磁波で送受信するものである。具体的には、電磁波放射器７００は、シート１００の前記第１導電体層１１０の表面に展設される誘電体層７１０と、該誘電体層７１０のシート１００と反対側の表面に展設される導電体層７２０とからなる。
【００８６】
誘電体層７１０は、薄板状に形成されており、例えば発泡部材のように、ある程度の強度と柔軟性と軽量性と美観とを兼ね備えた部材が用いられる。一方、導電体層７２０は、泊状に形成されており、例えばアルミニウム等の金属泊が用いられる。これら誘電体層７１０と導電体層７２０が互いに貼り合わせることにより一体の電磁波放射器７００が構成される。
【００８７】
而して、電磁波放射器７００は、離れた位置にある識別情報記録媒体２００から識別情報を電磁波で受信してシート１００内に伝達させることができ、また逆にシート１００内を伝達してきた識別情報を識別情報記録媒体２００に電磁波で送波する。このように電磁波放射器７００は電磁波をその上方に三次元的に放射させることができ、いわば電磁波の次元変換機能と変更機能とを有する。
【００８８】
これにより入退場口の周辺の天井面や壁面など、入退場口を通過する利用者と離れた位置にもケーシング６００（シート１００）を設置した場合において、利用者の識別情報記録媒体から識別情報をより精度良く読み取ることができる。
【００８９】
特にシート１００に識別情報記録媒体２００をかざすのではなく、利用者が入退場口を通過したときにシート１００が識別情報記録媒体２００から識別情報を電磁波で自動的に受信するものとした場合、電磁放射器７００は識別情報の読み取りに効力を発揮する。
【００９０】
なお、本実施形態では、上記構成の電磁波放射器を使用したが、その他の構成のものであってもよい。
【００９１】
＜入退場認証ゲート装置＞
図１０は、本ゲート装置６００の構成を示す概略図である。なお、図１０では、説明の便宜上、ケーシング６１０内に設けられるシート１００を外観から可視化した状態（点線）で図示している。
【００９２】
本ゲート装置６００は、施設や現場等の入退場口の周辺の天井面や壁面に設置され、略矩形状のケーシング６１０を備える。
このケーシング６１０の表面裏側には上述のシート１００が設けられている。なお、本実施形態では表面裏側に設けるものとしているが、もとより表面表側に設けるものとしてもよい。
【００９３】
また、ケーシング６１０の表面上部には、ステータスランプ６２１が設けられている。このステータスランプ３２１は、利用者の通過が許可された場合や、通過が禁止された場合などに適宜点灯などする。
【００９４】
また、ケーシングの表面下部には、スピーカ６２２が設けられている。このスピーカ６２２は、利用者の通過が許可された場合や、通過が禁止された場合などに適宜その旨の音声を出力する。
【００９５】
また、シート１００が施設や現場等の入退場口を通過する利用者に対して第１導電体層１１０を対向する態様で設けらるように、本ゲート装置６００を適切な角度で配置されるのがよい。これにより入退場口を通過する利用者の識別情報記録媒体２００から識別情報を読み易くなり、より効率的な入退場認証が可能となる。
【００９６】
＜入退場認証システム＞
図１２は、本ゲートの電気的構成と本システムの全体構成を示す概略図である。
本システムは、図１２に示すように、１台の本ゲート装置６００と、１台の識別情報読取装置６４０と、１台の管理用ＰＣ４００とから構成され、それぞれが同軸ケーブルやＬＡＮで接続されている。
【００９７】
本ゲート装置６００は、識別情報読取装置６３０が別体に設けられ、識別情報読取装置と同軸ケーブルを介して接続されている。
【００９８】
この識別情報読取装置６３０は、前記シート１００（インターフェース装置１５０）からケーブルを介して送信されてきた識別情報を読み取るものである。この識別情報読取装置６３０は、読み取った識別情報に対して読取日時、ゲート番号、入退場区分などの情報を付加したあと、それを内部に設けれた送信装置６４１を介して管理用ＰＣ４００に送信する。
【００９９】
また、本ゲート装置６００は、管理用ＰＣ４００から送信されてきた認証情報を受信す受信装置６４２と、ステータスランプ６２１およびスピーカ６２２の出力を制御する制御装置６５０が設けられている。
【０１００】
この制御装置６５０は、前記受信装置６４２に受信された認証情報に基づいてステータスランプ６２１およびスピーカ６２２の出力を制御する。例えば、認証情報が許可を示すものである場合、ステータスランプ６２１を所定の色に点灯させるとともに、スピーカ６２２では通過を許可する旨の音声を出力させる。一方、認証情報が禁止を示すものである場合、ステータスランプ６２１を所定の色に点灯させるとともに、スピーカ６２２では通過を禁止する旨の音声を出力させる。
【０１０１】
なお、上記いずれの実施形態についても、これらのものに限定されるものではなく、設置型、本ゲート装置の電気的構成、識別情報読取装置及び送受信装置の位置、ホストＰＣの有無など、種々に設計変更可能である。
【符号の説明】
【０１０２】
１００・・・シート
２００・・・識別情報記録媒体
２１０・・・識別タグ
３００・・・本ゲート装置
３１０・・・基台
３１１・・・露出窓
３２１・・・通過ランプ
３２２・・・停止ランプ
３２３・・・スピーカ
３３０・・・識別情報読取装置
３４０・・・送受信装置
３５０・・・制御装置
４００・・・管理用ＰＣ
４１０・・・データベース
４２０・・・認証部
４３０・・・送受信部
５００・・・ホストＰＣ
【図１】
2011118717.tif 000003
【図２】
2011118717.tif 000004
【図３】
2011118717.tif 000005
【図４】
2011118717.tif 000006
【図５】
2011118717.tif 000007
【図６】
2011118717.tif 000008
【図７】
2011118717.tif 000009
【図８】
2011118717.tif 000010
【図９】
2011118717.tif 000011
【図１０】
2011118717.tif 000012
【図１１】
2011118717.tif 000013
【図１２】
2011118717.tif 000014
【図１３】
2011118717.tif 000015